(57)【要約】【課題】操作ボタンから光を発し得る照光式の携帯端末用操作スイッチをより小型構成で実現する。【解決手段】携帯端末用操作スイッチ１０は、基板４０と、光透過性の操作ボタン２０と、操作ボタン２０を保持するボタン保持部材３０とを備えてなるものである。ボタン保持部材３０は、基板４０に固定され、出射光を操作ボタン２０側に導出させる導出孔３３と、操作ボタン２０を支持する弾性変形可能な撓み部３５とを備えている。また、撓み部３５には、可動接点３１が固定接点４１と対向して配されており、操作ボタン２０の操作に応じて可動接点３１が固定接点４１に対して接触及び離間する構成をなす。投光素子５０は、固定接点４１とは反対の基板面４０ｂ側に実装され、その一部が基板４０の孔部４５内に収容され、孔部４５内の投光素子５０からの出射光が導出孔３３を通って操作ボタン２０内に入光する構成となっている。【選択図】図１
2009026576.tif 000002
【特許請求の範囲】
【請求項１】
基板と、
前記基板に実装される投光素子と、
前記基板の一方面側に配された固定接点と、
前記基板の厚さ方向において前記投光素子と重なる位置に配される光透過性の操作ボタンと、
前記基板に固定されると共に、前記投光素子からの出射光を前記操作ボタン側に導出させる光導出部と、前記操作ボタンを支持する弾性変形可能な撓み部とを備え、かつ当該撓み部が、前記固定接点と前記操作ボタンとの間に介在して配されるボタン保持部材と、
前記撓み部において前記固定接点と対向して配され、前記操作ボタンの操作に応じて前記固定接点に対して接触及び離間する可動接点と、
を備え、
前記基板には、孔部が形成され、
前記投光素子は、前記基板において前記固定接点とは反対の他方面側に実装されると共に一部が前記孔部内に収容されており、
前記孔部内に収容された前記投光素子からの前記出射光を、前記光導出部を介して前記操作ボタンに入光させることを特徴とする携帯端末用操作スイッチ。
【請求項２】
前記光導出部は、前記出射光を導出する導出孔からなり、
前記操作ボタンには、前記導出孔と嵌合する凸部が形成されており、
前記凸部は、前記出射光が入光する入光部とされていることを特徴とする請求項１に記載の携帯端末用操作スイッチ。
【請求項３】
前記操作ボタンにおける前記出射光が入光する入光部は、前記出射光を集光する凸状の集光面を有することを特徴とする請求項１又は請求項２に記載の携帯端末用操作スイッチ。
【請求項４】
前記操作ボタンにおける前記出射光が入光する入光部は、前記出射光を拡散させる凹状の拡散面を備え、かつ当該拡散面の周囲が平坦面又は凸状面によって取り囲まれていることを特徴とする請求項１又は請求項２に記載の携帯端末用操作スイッチ。
【請求項５】
前記固定接点は、櫛形パターンからなる第一の電極と、櫛形パターンからなる第二の電極とを備えると共に、前記第一の電極と前記第二の電極とが互いに隣接してなる隣接構成部が、前記孔部を挟んた二位置に分かれて対向配置され、
前記可動接点は、両隣接構成部に接触可能とされており、
両隣接構成部のうちの少なくともいずれかの隣接構成部において、前記第一の電極及び前記第二の電極が前記可動接点と接触することによりオン状態となることを特徴とする請求項１から請求項４のいずれか一項に記載の携帯端末用操作スイッチ。
【請求項６】
前記投光素子の先端部が、前記一方面と前記他方面との間に配されることを特徴とする請求項１から請求項５のいずれか一項に記載の携帯端末用操作スイッチ。
【発明の詳細な説明】
【技術分野】
【０００１】
本発明は、携帯端末用操作スイッチに関するものである。
【背景技術】
【０００２】
従来より、押圧式のスイッチ部材を投光性の材料によって構成し、そのスイッチ部材の内部に光を透過させてスイッチ部材を光らせる照光式スイッチが提供されている。例えば特許文献１では、電子楽器に用いられる照光式スイッチが開示されており、ケース外に露出するゴムスイッチをケース内に配された光源によって照射し、ゴムスイッチを介して光を外部に照出する構成とすることで、ゴムスイッチ全体を光らせる構成としている。
【特許文献１】特開平９−３０６２７７号公報
【発明の開示】
【発明が解決しようとする課題】
【０００３】
ところで、携帯端末の分野でも、スイッチを照光式構成とすると、視認性を大幅に向上でき、極めて有用である。しかしながら、携帯端末はその性質上、部品点数やスペース的な制約が大きいという事情があり、照光式の構成を実現しにくいという問題がある。例えば、基板上に投光素子を配し、基板から所定距離離れた位置に操作ボタンを配置してこの操作ボタンを投光素子によって光らせる構成とした場合、基板に実装される投光素子の高さに加え、操作ボタンの押圧ストロークなどを考慮する必要があり、基板から操作ボタンまでの距離をある程度大きく確保せざるを得ない。その結果、携帯端末全体の厚み或いは幅が増してしまい、装置全体の小型化が阻害されるという問題がある。
【０００４】
本発明は、上述した課題を解決するためになされたものであり、操作ボタンから光を発し得る照光式の携帯端末用操作スイッチをより小型構成で実現することを目的とする。
【課題を解決するための手段】
【０００５】
上記目的を達成するため、請求項１の発明は、基板と、前記基板に実装される投光素子と、前記基板の一方面側に配された固定接点と、前記基板の厚さ方向において前記投光素子と重なる位置に配される光透過性の操作ボタンと、前記基板に固定されると共に、前記投光素子からの出射光を前記操作ボタン側に導出させる光導出部と、前記操作ボタンを支持する弾性変形可能な撓み部とを備え、かつ当該撓み部が、前記固定接点と前記操作ボタンとの間に介在して配されるボタン保持部材と、前記撓み部において前記固定接点と対向して配され、前記操作ボタンの操作に応じて前記固定接点に対して接触及び離間する可動接点と、を備え、前記基板には、孔部が形成され、前記投光素子は、前記基板において前記固定接点とは反対の他方面側に実装されると共に一部が前記孔部内に収容されており、前記孔部内に収容された前記投光素子からの前記出射光を、前記光導出部を介して前記操作ボタンに入光させることを特徴とする。
【０００６】
請求項２の発明は、請求項１に記載の携帯端末用操作スイッチにおいて、前記光導出部は、前記出射光を導出する導出孔からなり、前記操作ボタンには、前記導出孔と嵌合する凸部が形成されており、前記凸部は、前記出射光が入光する入光部とされていることを特徴とする。
【０００７】
請求項３の発明は、請求項１又は請求項２に記載の携帯端末用操作スイッチにおいて、前記操作ボタンにおける前記出射光が入光する入光部は、前記出射光を集光する凸状の集光面を有することを特徴とする。
【０００８】
請求項４の発明は、請求項１又は請求項２に記載の携帯端末用操作スイッチにおいて、前記操作ボタンにおける前記出射光が入光する入光部は、前記出射光を拡散させる凹状の拡散面を備え、かつ当該拡散面の周囲が平坦面又は凸状面によって取り囲まれていることを特徴とする。
【０００９】
請求項５の発明は、請求項１から請求項４のいずれか一項に記載の携帯端末用操作スイッチにおいて、前記固定接点は、櫛形パターンからなる第一の電極と、櫛形パターンからなる第二の電極とを備えると共に、前記第一の電極と前記第二の電極とが互いに隣接してなる隣接構成部が、前記孔部を挟んた二位置に分かれて対向配置され、前記可動接点は、両隣接構成部に接触可能とされており、両隣接構成部のうちの少なくともいずれかの隣接構成部において、前記第一の電極及び前記第二の電極が前記可動接点と接触することによりオン状態となることを特徴とする。
【００１０】
請求項６の発明は、請求項１から請求項５のいずれか一項に記載の携帯端末用操作スイッチにおいて、前記投光素子の先端部が、前記一方面と前記他方面との間に配されることを特徴とする。
【発明の効果】
【００１１】
請求項１の発明では、固定接点の反対面側（他方面側）に投光素子を実装すると共に、基板に形成された孔部内に配し、当該投光素子からの出射光を、光導出部を介して操作ボタンに入光させる構成としている。したがって、操作ボタンを発光させうる構成を好適に実現できると共に、基板の固定接点側の面に投光素子を実装する場合と比較して、投光素子の操作ボタン側への突出量を効果的に抑えることができ、操作ボタンと基板とを近接配置しやすくなる。これにより、携帯端末用操作スイッチの小型化を効果的に実現でき、ひいては携帯端末全体の小型化に寄与することとなる。
【００１２】
請求項２の発明では、光導出部が出射光を導出する導出孔からなり、他方、操作ボタンにはこの導出孔と嵌合する凸部が形成されている。従って、操作ボタンとボタン保持部材とを、多大なスペースを要することなく良好に結合でき、かつ嵌合に係る凸部を入光部として利用することで、操作ボタン側への光の導出も好適になされる。
【００１３】
請求項３の発明では、操作ボタンの入光部が、出射光を集光する凸状の集光面を有している。従って、操作ボタンにおいて透過光量の大きい部位が生じることとなり、操作ボタンの特定部位の視認性を効果的に高めることができる。
【００１４】
請求項４の発明では、操作ボタンの入光部において、投光素子からの出射光を拡散させる凹状の拡散面が設けられているため、出射光を操作ボタン内において全体的に拡散できる。また、拡散面の周囲が平坦面又は凸状面によって取り囲まれているため、拡散面の周囲に入光する出射光については拡散が抑えられるため側方（光を導出すべき側に対して横方向）への漏洩が抑制される。従って、操作ボタンの発光に際して、出射光がより効率的に利用されることとなる。
【００１５】
請求項５の発明では、第一の電極と第二の電極とが互いに隣接してなる隣接構成部が、孔部を挟んた二位置に分かれて対向配置され、可動接点が、両隣接構成部に接触可能とされている。そして、両隣接構成部のうちの少なくともいずれかの隣接構成部において、第一の電極及び第二の電極が可動接点と接触することによりオン状態となる構成をなしているため、可動接点と固定接点との接触不良が生じにくくなる。例えば、操作ボタンに対する押圧がいずれかの隣接構成部側に片寄った場合であっても、一方の隣接構成部と可動接点とで良好に導通が図られることとなる。
【００１６】
請求項６の発明は、投光素子の先端部が、一方面と他方面との間に配されているため、投光素子の先端部が操作ボタン側に突出しない構成（即ち、先端が孔部内に完全に収まる構成）となり、操作ボタンと基板とをより近接配置しやすく、ひいては装置をより小型化しやすくなる。
【発明を実施するための最良の形態】
【００１７】
[第１実施形態]
以下、本発明の携帯端末用操作スイッチを具現化した第１実施形態について、図面を参照して説明する。
図１は、第１実施形態に係る携帯端末用スイッチを概略的に示す断面図である。なお、図１は、図６のＡ−Ａ位置付近を切断して示すものである。図２は、第１実施形態の携帯端末用スイッチに用いる操作ボタン及びボタン保持部材の構成を拡大して示す拡大図である。図３は、図２の構成を投光素子側から見た裏面図である。図４は、基板に配される固定端子の様子を拡大して示す拡大図である。図５は、第１実施形態の携帯端末用スイッチに用いる基板を概略的に例示する平面図である。図６は、第１実施形態の携帯端末用スイッチを用いた携帯端末の一例を示す平面図である。
【００１８】
図１に示す携帯端末用操作スイッチ１０は、携帯端末１（図６参照）の一部を構成するものであり、押圧式の操作ボタン２０と、この操作ボタン２０を保持するボタン保持部材３０とを備え、これら操作ボタン２０とボタン保持部材３０とが結合したユニットが携帯端末１のケース２（図６）内に配される基板４０に固定された構成をなしている。
【００１９】
操作ボタン２０は、光透過性の樹脂材料等によって構成されており、基板４０の厚さ方向において投光素子５０と重なる位置に配されている。図１、図６に示すように、操作ボタン２０は、携帯端末１の外部に露出（具体的にはケース２に形成された孔部２ａを介して外部に露出）して配されるものであり、この操作ボタン２０を介して投光素子５０からの光が外部に照出される構成をなしている。なお、図１では、ケース２が配されるべき位置を二点鎖線にて仮想的に示している。
【００２０】
ボタン保持部材３０は、接着剤等の接着媒体或いはねじ等の連結部材などによって基板４０の基板面４０ａ（基板面４０ａは、「一方面」の一例に相当する）に固定されており、図２のように、投光素子５０からの出射光を操作ボタン２０側に導出させる導出孔３３（導出孔３３は「光導出部」の一例に相当する）と、操作ボタン２０を支持する弾性変形可能な撓み部３５とを備えている。「撓み部３５」は、基板４０に固定される変位不能な環状の固定部３９に対して撓み変形による変位が可能な部位全体を指しており、図２、図３に示すように、固定部３９に連結された環状の薄肉部３５ａと、当該薄肉部３５ａの内側に配され、薄肉部３５ａの弾性変形に応じて連動するボタン支持部３５ｂとを備えている。
【００２１】
また、図１に示すように、撓み部３５は、その一部が固定接点４１（後述）と操作ボタン２０との間に介在して配されており、その介在する部位（即ちボタン支持部３５ｂ）において、可動接点３１が固定接点４１と対向して配されている。図３に示すように、可動接点３１は、撓み部３５の裏面側（基板４０と対向する面側）において環状かつ層状に構成されるものである。
【００２２】
固定接点４１は、図１、図４，図５に示すように、基板４０の基板面４０ａ側に固定される接点であり、図４のように、櫛形パターンからなる第一の電極４２と、櫛形パターンからなる第二の電極４３とを備えている。さらに、第一の電極４２と第二の電極４３とが互いに隣接してなる隣接構成部４７，４８が、孔部４５を挟んた二位置に分かれて対向配置されており、可動接点３１は、両隣接構成部４７，４８に接触可能とされている。本実施形態の構成では、両隣接構成部４７，４８のうちの少なくともいずれかの隣接構成部において、第一の電極４２及び第二の電極４３が可動接点３１と接触することにより、第一の電極４２と第２の電極４３とが可動接点３１を介して導通し、オン状態となる構成となっている。なお、図４では、可動接点３１が固定接点４１に接触するときの位置を二点鎖線にて仮想的に示している。
【００２３】
この構成では、図２の状態から操作ボタン２０が押された場合、操作ボタン２０が基板４０の厚さ方向一方側（矢印Ｄ１の方向）に変位しようとし、それに伴い薄肉部３５ａが弾性変形する。そして、これと連動してボタン支持部３５ｂが操作ボタン２０の押圧方向（即ち、矢印Ｄ１方向）に変位し、可動接点３１が固定接点４１に接近して接触することとなる。一方、操作ボタン２０の押圧が解除されると、薄肉部３５ｂが自然状態（図２の状態）に復帰しようとすることで、ボタン保持部３５ｂが押圧方向とは逆方向（矢印Ｄ２方向）に押し上げられる。これにより、可動接点３１が固定接点４１から離間し、第１の電極４２と第２の電極４３との導通が遮断され、スイッチオフ状態となる。
【００２４】
上述の投光素子５０は、ＬＥＤなどの発光素子からなるものであり、図１のように、基板４０における基板面４０ｂ（基板面４０ｂは、「他方面」の一例に相当する）側に実装されており、この投光素子５０からの出射光が操作ボタン２０に入射する構成となっている。より具体的には、基板４０において当該基板４０を厚さ方向に貫通する孔部４５が形成されており、基板面４０ｂ（即ち、固定接点４１側の基板面４０ａとは反対の基板面）に実装される投光素子５０は、その一部が孔部４５内に収容され、操作ボタン２０側に光を発する構成をなしている。このように孔部４５内に収容された投光素子５０からの出射光を、導出孔３３を介して操作ボタン２０に入光させ、操作ボタン２０から外部に光を発するようにしている。
【００２５】
孔部４５内に配される投光素子５０は、その先端部が基板面４０ａと基板面４０ｂとの間に配されており、先端部が完全に孔部４５内に収まり、基板面４０ａから投光素子５０の先端部が突出しない構成となっている。なお、図１では投光素子５０を基板面４０ｂ側に実装する具体的構成を省略して示しているが、投光素子５０が基板面４０ｂに保持され、その一部が孔部４５内に配される構成であればどのような実装構成であってもよい。
【００２６】
また、本実施形態では、図１〜図３のように、ボタン保持部材３０に形成された導出孔３３が、操作ボタン２０に形成された凸部２１と嵌合する構成をなしており、この凸部２１が入光部（即ち、出射光が入光する部位）とされている。凸部２１は、基板４０の厚さ方向において投光素子５０と重なる位置に配されており、より具体的には、凸部２１は、孔部４５の径よりも大きな径の円柱状に構成され、孔部４５内に収まるサイズの発光素子５０と対向して配置されている。また、操作ボタン２０の凸部２１（即ち、出射光が入光する入光部）は、出射光を集光する凸状の集光面２１ａを有しており、図１の符号Ｌ１にて概念的に示すように、投光素子５０からの出射光が集光面２１ａによって集光され、操作ボタン２０の所定箇所の明るさが局所的に強められている。
【００２７】
以上のように構成される携帯端末用操作スイッチ１０は、図６に示す携帯端末１の一部に組み込まれて用いられる。なお、図１から図５に示す携帯端末用操作スイッチ１０は、携帯端末１の一箇所のスイッチを例示したものであるが、他箇所のスイッチとして同様の構成を用いることができるのは勿論である。また、本実施形態に係る携帯端末１は、バーコードリーダや二次元コードリーダ等の光学的情報読取装置として構成されるものであり、上記の携帯端末用操作スイッチ１０は、このような光学的情報読取装置の照光式のスイッチとして構成されている。
【００２８】
以上のように、本実施形態の携帯端末用操作スイッチ１０では、固定接点４１の反対面側（他方面側）に投光素子５０を実装すると共に、基板４０に形成された孔部４５内に配し、当該投光素子５０からの出射光を、導出孔３３を介して操作ボタン２０に入光させる構成としている。したがって、操作ボタン２０を発光させうる構成を好適に実現できると共に、基板４０の固定接点４１側の面に投光素子を実装する場合と比較して、投光素子５０の操作ボタン２０側への突出量を抑えることができ、操作ボタン２０と基板４０とをより距離配置しやすくなる。これにより、携帯端末用操作スイッチの小型化を効果的に実現でき、ひいては携帯端末全体の小型化に寄与することとなる。
また、操作ボタン２０と、この操作ボタン２０を基板４０に連結するボタン保持部材３０とを別部材として構成しているため、操作ボタン２０については光透過性に優れた適切な材料を選択でき、ボタン保持部材３０については、弾性変形可能な適切な材料を選択しやすくなる。
【００２９】
また、携帯端末用操作スイッチ１０は、光導出部が出射光を導出する導出孔３３からなり、他方、操作ボタン２０にはこの導出孔３３と嵌合する凸部２１が形成されている。従って、操作ボタン２０とボタン保持部材３０とを、多大なスペースを要することなく良好に結合でき、かつ嵌合に係る凸部２１を入光部として利用することで、操作ボタン２０側への光の導出も好適になされる。
【００３０】
また、操作ボタン２０の入光部が、出射光を集光する凸状の集光面２１ａを有しているため、操作ボタン２０において透過光量の大きい部位が生じることとなり、操作ボタン２０の特定部位の視認性を効果的に高めることができる。
【００３１】
また、両隣接構成部４７，４８のうちの少なくともいずれかの隣接構成部において、第一の電極４２及び第二の電極４３が可動接点３１と接触することによりオン状態となる構成をなしているため、可動接点３１と固定接点４１との接触不良が生じにくくなる。例えば、操作ボタン２０に対する押圧がいずれかの隣接構成部側に片寄った場合であっても、一方の隣接構成部と可動接点３１とで良好に導通が図られることとなる。
さらに、隣接配置部４７，４８を対向する二位置に設け、孔部４５の横方向（固定接点４１の短手方向）両側に隣接配置部を設けないようにして、固定接点４１を長手状に構成している。従って、固定接点４１の幅を狭く構成でき、固定接点４１の設置スペースを効果的に削減できる。これにより、基板の小型化や他部品の実装スペース増大などの有利な効果が得られる。
【００３２】
また、投光素子５０の先端部が、基板面４０ａと基板面４０ｂとの間に配されているため、投光素子５０の先端部が操作ボタン２０側に突出しない構成（即ち、先端が孔部４５内に完全に収まる構成）となり、操作ボタン２０と基板４０とをより一層近接配置しやすく、ひいては装置全体をより小型化しやすくなる。
【００３３】
［第２実施形態]
次に第２実施形態について説明する。図７は、第２実施形態に係る携帯端末用スイッチを概略的に示す断面図であり、図８は、図７の操作ボタン及びボタン保持部材の構成を投光素子側から見た裏面図である。なお、第２実施形態の携帯端末用スイッチ１１０は、操作ボタンの構成のみが第１実施形態と異なり、それ以外は第１実施形態と同一である。よって、異なる部分の構成を重点的に説明し、同一の部分の構成については第１実施形態と同一の符号を付すと共に、適宜第１実施形態を参照することとし、詳細な説明は省略する。
【００３４】
図７に示すように、本実施形態の携帯端末用スイッチ１１０では、第１実施形態の操作ボタン２０（図１参照）とは凸部の形状のみが異なる操作ボタン１２０が用いられている。この操作ボタン１２０における凸部１２１は、出射光が入光する入光部とされており、出射光を拡散させる凹状の拡散面１２１ａを備え、かつ当該拡散面１２１ａの周囲が凸状面１２１ｂによって取り囲まれる構成をなしている。図８に示すように、凸部１２１の中心側の領域（二点鎖線Ａ１内の領域）が凹状の拡散面１２１ａとされており、外側の領域（二点鎖線Ａ１外の領域）が凸状面１２１ｂとされている。凸状面１２１ｂは、凸状部分が環状に続く構成をなしている。
【００３５】
本実施形態の構成では、操作ボタン１２０の凸部１２１（即ち入光部）において、投光素子５０からの出射光を拡散させる凹状の拡散面１２１ａが設けられているため、出射光を操作ボタン１２０内において全体的に拡散できる。また、拡散面１２１ａの周囲が凸状面１２１ｂによって環状に取り囲まれているため、拡散面の周囲に入光する出射光については拡散が抑えられるため側方（光を導出すべき側に対して横方向）への漏洩が抑制される。従って、図７のＬ２にて概念的に示すように、操作ボタン１２０の発光に際し、出射光が操作ボタン１２０全体にわたるように効率的に利用されることとなる。
【００３６】
なお、本実施形態の携帯端末用操作スイッチ１１０でも、第１実施形態と同様に、固定接点４１の反対面側（他方面側）に投光素子５０を実装すると共に、基板４０に形成された孔部４５内に配し、当該投光素子５０からの出射光を、導出孔３３を介して操作ボタン１２０に入光させる構成としている。したがって、操作ボタン１２０を発光させうる構成を好適に実現できると共に、基板４０の固定接点４１側の面に投光素子を実装する場合と比較して、投光素子５０の操作ボタン１２０側への突出量を抑えることができ、操作ボタン１２０と基板４０とをより距離配置しやすくなる。これにより、携帯端末用操作スイッチの小型化を効果的に実現でき、ひいては携帯端末全体の小型化に寄与することとなる。
【００３７】
また、本実施形態の携帯端末用操作スイッチ１１０でも、光導出部が出射光を導出する導出孔３３からなり、他方、操作ボタン１２０にはこの導出孔３３と嵌合する凸部１２１が形成されている。従って、操作ボタン１２０とボタン保持部材３０とを、多大なスペースを要することなく良好に結合でき、かつ嵌合に係る凸部１２１を入光部として利用することで、操作ボタン１２０側への光の導出も好適になされることとなる。
【００３８】
また、本実施形態でも、第１実施形態と同様に、第一の電極４２と第二の電極４３とが互いに隣接してなる隣接構成部４７，４８が、孔部４５を挟んた二位置に分かれて対向配置され、可動接点３１が、両隣接構成部４７，４８に接触可能とされている（構成は図４、図５と同様）。そして、両隣接構成部４７，４８のうちの少なくともいずれかの隣接構成部において、第一の電極４２及び第二の電極４３が可動接点３１と接触することによりオン状態となる構成をなしているため、可動接点３１と固定接点４１との接触不良が生じにくくなる。例えば、操作ボタン２０に対する押圧がいずれかの隣接構成部側に片寄った場合であっても、一方の隣接構成部と可動接点３１とで良好に導通が図られることとなる。
【００３９】
また、本実施形態でも、投光素子５０の先端部が、基板面４０ａと基板面４０ｂとの間に配されているため、投光素子５０の先端部が操作ボタン１２０側に突出しない構成（即ち、先端が孔部４５内に完全に収まる構成）となり、操作ボタン１２０と基板４０とをより近接配置しやすく、ひいては装置をより小型化しやすくなる。
【００４０】
［他の実施形態]
本発明は上記記述及び図面によって説明した実施形態に限定されるものではなく、例えば次のような実施形態も本発明の技術的範囲に含まれる。
【００４１】
第２実施形態では、拡散面１２１ａの周囲が凸状面１２１ｂによって取り囲まれる例を示したが、拡散面１２１ａの周囲を平坦面（例えば、基板面４０ａと平行な平坦面）によって取り囲むようにしてもよい。
【００４２】
上記実施形態では、操作ボタンにおいて導出孔と嵌合する凸部が形成された例を示したが、このような凸部を省略してもよい。即ち、導出孔と操作ボタンとを嵌合させない構成であってもよい。
【００４３】
上記実施形態では、投光素子５０の先端部が、基板面４０ａと基板面４０ｂとの間に配される構成を例示したが、このような構成でなくてもよい。例えば、投光素子５０の先端部が基板面４０ａから若干突出するような構成であってもよい。
【図面の簡単な説明】
【００４４】
【図１】図１は、第１実施形態に係る携帯端末用スイッチを概略的に示す断面図である。
【図２】図２は、第１実施形態の携帯端末用スイッチに用いる操作ボタン及びボタン保持部材の構成を拡大して示す拡大図である。
【図３】図３は、図２の構成を投光素子側から見た裏面図である。
【図４】図４は、基板に配される固定端子の様子を拡大して示す拡大図である。
【図５】図５は、第１実施形態の携帯端末用スイッチに用いる基板を概略的に例示する平面図である。
【図６】図６は、第１実施形態の携帯端末用スイッチを用いた携帯端末の一例を示す平面図である。
【図７】図７は、第２実施形態に係る携帯端末用スイッチを概略的に示す断面図である。
【図８】図８は、図７の操作ボタン及びボタン保持部材の構成を投光素子側から見た裏面図である。
【符号の説明】
【００４５】
１…携帯端末
１０，１１０…携帯端末用スイッチ
２０，１２０…操作ボタン
２１，１２１…凸部（入光部）
２１ａ…集光面
３０…ボタン保持部材
３１…可動接点
３３…導出孔（光導出部）
３５…撓み部
４０…基板
４０ａ…基板面（一方面）
４０ｂ…基板面（他方面）
４１…固定接点
４２…第一の電極
４３…第二の電極
４５…孔部
４７，４８…隣接構成部
５０…投光素子
１２１ａ…拡散面
１２１ｂ…凸状面
【図１】
2009026576.tif 000003
【図２】
2009026576.tif 000004
【図３】
2009026576.tif 000005
【図４】
2009026576.tif 000006
【図５】
2009026576.tif 000007
【図６】
2009026576.tif 000008
【図７】
2009026576.tif 000009
【図８】
2009026576.tif 000010